(57)【要約】【課題】  良好な穿刺及び採取が可能となる物性値の弾性体を装着したバイオセンサカートリッジを得、測定成功率の向上を図る。【解決手段】  センサチップ４７と、センサチップ４７の前端部に取り付けられた弾性体６７と、センサチップ４７と一体化され弾性体６７を圧縮することにより弾性体６７から突出する穿刺用器具４３とを有するバイオセンサカートリッジ１００であって、弾性体６７の硬度を、硬度Ｅ（ＪＩＳ  Ｋ  ６２５３Ｅ）にて２０〜４０の範囲で構成した。弾性体６７は、ブリードによる染みだし物質の被検体への付着の虞がある場合、付着を阻止するコーティング材７７にて覆うことができる。また、弾性体６７は、少なくとも天然ゴム及び合成ゴムのいずれか又はスポンジを含有することが好ましい。【選択図】  図１
2008229022.tif 000002
【特許請求の範囲】
【請求項１】
穿刺具本体と、センサチップと、前記穿刺具本体の片端部に固定された穿針用器具と、前記穿刺具本体の片端部に弾性体を設けたバイオセンサカートリッジであって、
前記弾性体の硬度が、硬度Ｅ（ＪＩＳ  Ｋ  ６２５３Ｅ）にて１０〜５０、望ましくは２０〜４０の範囲であることを特徴とするバイオセンサカートリッジ。
【請求項２】
前記弾性体が、少なくとも天然ゴム及び合成ゴムのいずれか又はスポンジを含有し、圧縮力の開放により瞬時に復元することを特徴とする請求項１記載のバイオセンサカートリッジ。
【請求項３】
前記合成ゴムが、少なくともシリコーンゴム、ウレタンゴム、アクリルゴム、スチレンブタジエンゴム、エチレンプロピレンゴム、フッ素ゴム、イソプレンゴム、ブチルゴム、ニトリルゴム、クロロプレンゴムのいずれか一つを含有することを特徴とする請求項２記載のバイオセンサカートリッジ。
【発明の詳細な説明】
【技術分野】
【０００１】
本発明は、先端に収容した試薬を用いて化学物質の測定や分析を行うバイオセンサカートリッジに関する。
【背景技術】
【０００２】
従来より、バイオセンサチップとランセットを一体化したバイオセンサが開示されている（例えば特許文献１参照）。図６に示すように、ランセット一体型のセンサ１１は、チップ本体１３、ランセット１５、保護カバー１７を有してなる。チップ本体１３は、カバー１９と基板２１とを開閉可能に有しており、カバー１９の内面には内部空間２３が形成されている。内部空間２３は、ランセット１５を移動可能に収納している。
【０００３】
ランセット１５の先端に設けられている穿刺用器具（針）２５は、ランセット１５の移動に伴ってチップ本体１３の内部空間２３の前端部に形成されている開口部２７から出没可能となっている。内部空間２３の形状は、ランセット１５に形成された突起２９が位置する端部において、その幅がランセット１５より若干狭くなるよう湾曲しており、互いの押圧力や摩擦力によってランセット１５がチップ本体１３に係止されるようになっている。保護カバー１７は針２５を挿嵌する管部３１を有しており、針２５の移動に伴って管部３１もチップ本体１３の内部に収納可能となっている。使用前の状態では、保護カバー１７を針２５に被せて保護することで、誤って使用者を傷付けないようになされている。基板２１には、一対の電極端子３３，３３が設けられており、測定装置（図示省略）の計測手段に電気的に接続できるようになっている。
【０００４】
このように構成されたランセット一体型のセンサ１１は、使用時に、保護カバー１７を外して、ランセット１５を押して針２５をチップ本体１３から突出させる。この状態で被検体を穿刺した後、針２５をチップ本体１３内部に収納する。次いで、針２５を後退させることで開口した前端の開口部２７を被検体の穿刺口に近づけて、流出した血液を採取する。
【０００５】
ところが、上記したランセット一体型のセンサ１１は、ランセット１５を移動可能な構造でカバー１９の内部に収容して穿刺及び試料採取を可能とするため、構造が複雑となり、大型化する問題もあった。また、保護カバー１７を一旦外し、穿刺した後、ランセット１５を引っ込めてから試料採取を行わなければならないため、測定までに多くの手順が必要になった。
【０００６】
【特許文献１】国際公開第２００２／０５６７６９号パンフレット
【発明の開示】
【発明が解決しようとする課題】
【０００７】
このような問題を解消する手段として、ランセット１５の先端に、針２５の保護を兼ねたゴム等からなる弾性体を装着したバイオセンサカートリッジが考えられる。このバイオセンサカートリッジは、先端に装着された弾性体を被検体に押し付けると、弾性体が圧縮変形し、内部に挿通された穿刺用器具が相対的に突出して被検体を穿刺する。そして、押し付け力を弱めれば、弾性体の復元力によって穿刺用器具が被検体から抜かれ、穿刺口から試料が流出し、一回の押圧動作のみで流出試料の採取が可能となる。
【０００８】
しかしながら、上記した弾性体を先端に装着したバイオセンサカートリッジは、測定成功率が、弾性体の物性値に大きく影響される可能性がある。すなわち、弾性体が柔らかすぎれば、押圧力によって扁平に変形して穿刺穴を塞いでしまい、試料が採取できずに測定不能となる。これに対し、弾性体が硬すぎれば、押圧力によって十分に圧縮されず、穿刺用器具が所望長さで突出されないことから、これによっても穿刺ができずに測定不能となる。この他、弾性体は、圧縮変形後、瞬時に形状回復することが必要となる。また、良好な試料採取構造には複雑な形状が要求されることから、射出成形が可能な材料であることが要求される。さらに、ゴム材料を用いた弾性体の場合、経時変化によりオイル等の染みだし（ブリード）の無いことが要件となる。
本発明は上記状況に鑑みてなされたもので、良好な穿刺及び採取が可能となる物性値の弾性体を装着したバイオセンサカートリッジを提供し、もって、測定成功率の向上を図ることを目的とする。
【課題を解決するための手段】
【０００９】
本発明に係る上記目的は、下記構成により達成される。
（１）  穿刺具本体と、センサチップと、前記穿刺具本体の片端部に固定された穿針用器具と、前記穿刺具本体の片端部に弾性体を設けたバイオセンサカートリッジであって、
前記弾性体の硬度が、硬度Ｅ（ＪＩＳ  Ｋ  ６２５３Ｅ）にて１０〜５０、望ましくは２０〜４０の範囲であることを特徴とするバイオセンサカートリッジ。
【００１０】
このバイオセンサカートリッジによれば、弾性体の硬度が、硬度Ｅ（ＪＩＳ  Ｋ  ６２５３Ｅ）にて２０〜４０の範囲に設定されることで、硬度Ｅにて２０以下の柔らかい弾性体で発生する圧縮時の過剰変形による穿刺穴の閉塞が防止される。また、硬度Ｅにて４０以上の硬い弾性体で発生する押圧時の変形不十分による穿刺用器具の突出不足が防止される。これに加え、硬度Ｅにて２０以下の柔らかい弾性体で生じがちなブリードも極めて微量に抑止される。
【００１１】
（２）  前記弾性体が、少なくとも天然ゴム及び合成ゴムのいずれか又はスポンジを含有し、圧縮力の開放により瞬時に復元することを特徴とする（１）記載のバイオセンサカートリッジ。
【００１２】
このバイオセンサカートリッジによれば、弾性体の主材料として、少なくとも天然ゴム及び合成ゴムのいずれか又はスポンジが使用されることで、原材料の入手が容易となり、所望硬度の弾性体を、良好な成形性によって安価に生産できる。
【００１３】
（３）  前記合成ゴムが、少なくともシリコーンゴム、ウレタンゴム、アクリルゴム、スチレンブタジエンゴム、エチレンプロピレンゴム、フッ素ゴム、イソプレンゴム、ブチルゴム、ニトリルゴム、クロロプレンゴムのいずれか一つを含有することを特徴とする（１）又は（２）記載のバイオセンサカートリッジ。
【００１４】
このバイオセンサカートリッジによれば、弾性体の主材料が合成ゴムとなり、この合成ゴムが少なくともシリコーンゴム、ウレタンゴム、アクリルゴム、スチレンブタジエンゴム、エチレンプロピレンゴム、フッ素ゴム、イソプレンゴム、ブチルゴム、ニトリルゴム、クロロプレンゴムのいずれか一つを含有することで、弾性体において、上記した所望の最適な硬度、すなわち、硬度Ｅ（ＪＩＳ  Ｋ  ６２５３Ｅ）にて２０〜４０の範囲を容易に得ることができる。
【発明の効果】
【００１５】
本発明に係るバイオセンサカートリッジによれば、センサチップと一体化され弾性体を圧縮することにより弾性体から穿刺用器具を突出させるバイオセンサカートリッジにおいて、弾性体の硬度を、硬度Ｅ（ＪＩＳ  Ｋ  ６２５３Ｅ）にて２０〜４０の範囲で構成したので、硬度Ｅにて２０以下の柔らかい弾性体で発生する圧縮時の過剰変形による穿刺穴の閉塞を防止できるとともに、硬度Ｅにて４０以上の硬い弾性体で発生する押圧時の変形不十分による穿刺用器具の突出不足を防止でき、良好な穿刺及び採取を実現できる。これに加え、硬度Ｅにて２０以下の柔らかい弾性体で生じがちなブリードも極めて微量に抑止できる。この結果、穿刺、試料採取を良好にし、ブリードによる染みだし物質の影響も排除して、測定成功率を向上させることができる。
【発明を実施するための最良の形態】
【００１６】
以下、本発明に係るバイオセンサカートリッジの好適な実施の形態を図面を参照して説明する。今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
図１は本発明に係るバイオセンサカートリッジの分解斜視図、図２は図１に示したバイオセンサカートリッジの軸線と平行な断面を（ａ）、下面を（ｂ）に表した構成説明図である。
本実施の形態によるバイオセンサカートリッジ１００は、不図示のバイオセンサ装置に装填され、穿刺具本体４１の突出させた穿刺用器具４３を被検体に穿刺して採取試料（例えば血液）を測定可能とする。このバイオセンサカートリッジ１００は、血糖測定等に好適に用いることができる。
【００１７】
バイオセンサカートリッジ１００は、穿刺用器具４３を片端部（前端部）に突出させた穿刺具本体４１と、この穿刺具本体４１に貼着され試料を吸引する試料採取口４５を穿刺用器具４３の基部に近接して開口させたセンサチップ４７と、このセンサチップ４７を穿刺具本体４１で挟持する受け部材４９とを有して構成されている。穿刺用器具４３としては、例えば針、ランセット針、カニューレ等が挙げられる。
【００１８】
穿刺具本体４１は、合成樹脂材料からなる略半円柱形状に形成され、前端に穿刺用器具４３を軸線方向に突出してなる。また、受け部材４９は、合成樹脂材料からなり、穿刺具本体４１とで略円柱体を構成するような略半円柱形状に形成される。これら穿刺具本体４１と受け部材４９の双方の対向面は平坦面で形成され、この平坦面同士によってセンサチップ４７が挟持され、略円柱形状となるバイオセンサカートリッジ１００を形成する。
【００１９】
センサチップ４７は、互いに対向する２枚の基板５１，５３と、この基板５１，５３に挟装されるスペーサ層５５とを積層してなる。２枚の基板５１，５３の少なくとも１枚の基板５３のスペーサ層側の表面には検知用電極５７，５９が設けられており、検知用電極５７，５９の前端部は互いに対向する方向へＬ宇状に曲げられて離間されている。センサチップ４７には、２つの検知用電極５７，５９が対向している部分にかけて、２枚の基板５７，５９及びスペーサ層５５により中空反応部６１が形成されている。この中空反応部６１の先端に、穿刺して採取した試料としての血液を導入する試料採取口４５が設けられている。
【００２０】
検知用電極５７，５９は、中空反応部６１において露出しており、中空反応部６１における検知用電極５７，５９の直上或いは近傍に、例えば酵素とメディエータを固定化し血液中のグルコースと反応して電流を発生する試薬６３が設けられている。つまり、中空反応部６１は、試料採取口４５から採取された例えば血液等の試料が、試薬６３と生化学反応する部分となる。
【００２１】
センサチップ４７には中空反応部６１と外部とを連通させる一対の空気導通路６１ａ，６１ａが設けられ、空気導通路６１ａ，６１ａは外部から付与される減圧力を中空反応部６１へ作用させて、中空反応部６１への試料の流入を容易にする。
【００２２】
基板５１，５３及びスペーサ層５５の材質としては、絶縁性材料のフィルムが選ばれ、絶縁性材料としては、セラミックス、ガラス、紙、生分解性材料（例えば、ポリ乳酸微生物生産ポリエステル等）、ポリ塩化ビニル、ポリプロピレン、ポリスチレン、ポリカーボネート、アクリル樹脂、ポリブチレンテレフタレート、ポリエチレンテレフタレート（ＰＥＴ）等の熱可塑性樹脂、エポキシ樹脂等の熱硬化樹脂、ＵＶ硬化樹脂等のプラスチック材料を例示することができる。機械的強度、柔軟性、及びチップの作製や加工の容易さ等から、ポリエチレンテレフタレート等のプラスチック材料が好ましい。代表的なＰＥＴ樹脂としては、メリネックスやテトロン（以上、商品名、帝人デュポンフィルム株式会杜製）、ルミラー（商品名、東レ株式会杜製）等が挙げられる。
【００２３】
試薬６３としては、例えばグルコースオキシダーゼ（ＧＯＤ）やグリコースデヒドロゲナーゼ（ＧＤＨ）、コレステロールオキシダーゼ、ウリガーゼ等の酵素と電子受容体が挙げられる。また、検体の採血負担を考慮すると、中空反応部６１の容積は１μＬ（マイクロリットル）以下が好ましく、特に３００ｎＬ（ナノリットル）以下であることが好ましい。このような微小な中空反応部６１であると、穿刺用器具本体４１の直径は小さくても検体の充分な血液量が採取可能となる。また、穿刺用器具４３は、直径が１０００μｍ以下であることが好ましい。
【００２４】
バイオセンサカートリッジ１００は、穿刺用器具４３を挿通させるとともに圧縮時に、穿刺用器具４３を前端面６５に突出させる略円柱形状の弾性体６７を、穿刺具本体４１及び受け部材４９の前端部に装着する。弾性体６７の前端面６５には凹部６９が形成され、凹部６９は中央底部に半球形状の膨出部７１（図３参照）を形成している。膨出部７１の中心には弾性体６７を貫通する貫通穴７３が穿設され、貫通穴７３は穿刺具本体４１の穿刺用器具４３を挿通させるため、穿刺用器具４３の外径より大きく形成されている。弾性体６７の軸線方向の寸法は、穿刺用器具４３の先端までを確実に覆うことができる長さとなっている。つまり、穿刺用器具４３は、膨出部７１の内部に配置されている。
【００２５】
弾性体６７は、前端面６５の周壁部７５が、軸線方向の圧縮力によって潰れるように変形する。また、同様の圧縮力が作用した際に、膨出部７１も凹部６９の底面近傍まで潰れるように変形する。すなわち、この圧縮力が作用することにより、穿刺用器具４３が弾性体６７の前端面６５から相対的に突出されることとなる。この圧縮力は、不図示のバイオセンサ装置、或いは手動によって付与される。
【００２６】
弾性体６７は、硬度が、硬度Ｅ（ＪＩＳ  Ｋ  ６２５３Ｅ）にて１０〜５０、望ましくは２０〜４０の範囲となるようにして作成される。弾性体６７の硬度が、硬度Ｅにて２０〜４０の範囲に設定されることで、硬度Ｅにて２０以下の柔らかい弾性体で発生する圧縮時の過剰変形による穿刺穴の閉塞が防止される。また、硬度Ｅにて４０以上の硬い弾性体で発生する押圧時の変形不良による穿刺用器具４３の突出不足が防止される。これに加え、硬度Ｅにて２０以下の柔らかい弾性体で生じがちなブリードも極めて微量に抑止される。
【００２７】
弾性体６７は、ブリードによる染みだし物質の被検体への付着を阻止するコーティング材７７にて表面が覆われている。このように弾性体６７の表面がコーティング材７７によって覆われることで、弾性体６７から染み出る僅かな染みだし物質も、採取試料に混入したり、被検体に接触したりしなくなる。これにより、染みだし物質が採取試料に混入することによる測定成功率の低下が抑止できるとともに、被検体への影響も防止することができる。なお、コーティング材７７による被膜は、弾性体単体で染みだし物質がない場合には、省略することができる。
コーティング材７７としては、フッ素系、シリコーン系等を挙げることができる。
【００２８】
弾性体６７の貫通穴７３の内壁面には不図示の界面活性剤が塗布され、界面活性剤は試料採取口４５への試料の導入を容易にしている。なお、この界面活性剤は、試料採取口４５及び中空反応部６１の内壁にも塗布されている。
【００２９】
弾性体６７の周壁部７５の前端面６５には直径方向の溝状に通気路７９，７９が形成され、通気路７９，７９は弾性体６７の前端面６５が被検体によって塞がれた状態で、凹部６９を外部へ開放する。このように被検体で塞がれた凹部６９を通気路７９，７９によって外部へ開放することで、密閉状態の凹部６９が押圧変形されて凹部６９の内圧が上昇し、穿刺時にこの内圧が抵抗となって穿刺穴から試料が流出し難くなることを防止できる。
【００３０】
バイオセンサカートリッジ１００は、一体となった穿刺具本体４１、センサチップ４７及び受け部材４９に外挿される円柱形状のカバー８１を有する。カバー８１には軸線方向に貫通する収容穴８３が形成され、収容穴８３は上記一体となった穿刺具本体４１、センサチップ４７及び受け部材４９を収容する。弾性体６７は、このカバー８１の前端面に接着剤８５、両面粘着テープ等によって貼着することができる。
【００３１】
弾性体６７は、先の硬度において、少なくとも天然ゴム及び合成ゴムのいずれか又はスポンジを含有する。弾性体６７の主材料として、少なくとも天然ゴム及び合成ゴムのいずれか又はスポンジが使用されることで、原材料の入手が容易となり、所望硬度の弾性体６７を、良好な成形性によって安価に生産できる。
【００３２】
上記した合成ゴムは、少なくともシリコーンゴム、ウレタンゴム、アクリルゴム、スチレンブタジエンゴム、エチレンプロピレンゴム、フッ素ゴム、イソプレンゴム、ブチルゴム、ニトリルゴム、クロロプレンゴムのいずれか一つを含有することが好ましい。弾性体６７の主材料が合成ゴムとなり、この合成ゴムが少なくともシリコーンゴム、ウレタンゴム、アクリルゴム、スチレンブタジエンゴム、エチレンプロピレンゴム、フッ素ゴム、イソプレンゴム、ブチルゴム、ニトリルゴム、クロロプレンゴムのいずれか一つを含有することで、弾性体６７において、上記した所望の最適な硬度、すなわち、硬度Ｅ（ＪＩＳ  Ｋ  ６２５３Ｅ）にて１０〜５０の範囲を容易に得ることができる。
【００３３】
より具体的に、弾性体６７の材質としては、シリコーン、ウレタン、アクリル、エチレン、スチレン、ブタジエン、アクリロニトリル、プロピレン、クロロプレン等のポリマー単体若しくは共重合したポリマーからなるゴム若しくはスポンジ、ポリエチレン、及びポリプロピレン等のポリオレフィン、ポリエチレンテレフタレート及びポリブチレンテレフタレート等のポリエステル、ポリテトラフルオロエチレン及びパーフルオロアルコキシエチレンとポリフルオロエチレンの共重合体であるＰＦＡ等のフッ素樹脂などを利用できる。
【００３４】
図３は弾性体の変形例を表す断面図である。
弾性体６７は、接着剤８５の他に、係合構造によってカバー８１、或いは一体となった穿刺具本体４１及び受け部材４９の前端部に装着されるものであってもよい。この場合、図３に示すように、変形例に係る弾性体６７Ａのカバー８１との装着面には内部で拡径される多段状の内周溝８７が形成され、内周溝８７はカバー８１、或いは穿刺具本体４１と受け部材４９との前端部外周に形成した係合突起（図示せず）に係合させる。これにより、接着剤８５を使用せずに弾性体６７Ａの装着を可能にできる。
【００３５】
次に、このように構成されたバイオセンサカートリッジ１００の作用を説明する。
図４は試料採取の手順を表す動作説明図である。
バイオセンサカートリッジ１００を用いて試料を採取するには、先ず、図４（ａ）に示すように、弾性体６７の前端面６５を被検体Ｍである例えば指先に当てる。なお、バイオセンサカートリッジ１００は、不図示のバイオセンサ装置に装填され、穿刺ボタンの操作によって機械的に押圧されて先端が突出されても良く、或いはカバー８１を手指にて把持し、弾性体６７を被検体Ｍに押し付けても良い。バイオセンサカートリッジ１００は、所定の押圧力Ｆ１で被検体Ｍに押し付けられると、図４（ｂ）に示すように、周壁部７５が潰れ、穿刺用器具４３が突出される。
【００３６】
これにより、突出した穿刺用器具４３の先端が被検体Ｍに穿刺される。押し付け力によって変形した弾性体６７は、図４（ｃ）に示すように、復元力Ｆ２によって元の形状に戻る。これに伴ってバイオセンサカートリッジ１００は、若干後退され、穿刺用器具４３が被検体Ｍから抜かれる。被検体Ｍから穿刺用器具４３が抜かれると、その穿刺穴から流出する試料Ｂが、センサチップ４７の先端に開口する試料採取口４５へ導かれ、試料採取口４５から中空反応部６１へと流入する。中空反応部６１に流入した試料Ｂが試薬６３と反応すると、電流が発生し、この電流が基板５３の検知用電極５７，５９を介して装置の計測手段に入力され、血液中の成分が計測されることとなる。
【００３７】
本実施の形態によれば、弾性体６７の非圧縮時には穿刺用器具４３が弾性体６７の内部に収容される一方、前端面６５を押圧する方向に弾性体６７が圧縮されると、その前端面６５から穿刺用器具４３の先端が突出され、被検体Ｍへ穿刺が可能となる。これにより、使用時にのみ穿刺用器具４３が突出され、非穿刺時には誤って使用者を傷付けないように穿刺用器具４３が弾性体６７によって保護される。また、被検体Ｍの穿孔部位に、穿刺用器具４３の突出していない弾性体６７を当接することで、穿刺口の位置決めを容易にすることができる。また、弾性体６７の前端面６５を被検体Ｍに密着させることで、弾性体６７の貫通穴７３を介し、穿刺口から流出する試料Ｂを試料採取口４５へ導入し易くできる。これによっても、試料の採取成功率を高めることができる。
【００３８】
これに加え、弾性体６７の硬度を、硬度Ｅ（ＪＩＳ  Ｋ  ６２５３Ｅ）にて２０〜４０の範囲で構成したので、硬度Ｅにて２０以下の柔らかい弾性体で発生する圧縮時の過剰変形による穿刺穴の閉塞を防止できるとともに、硬度Ｅにて４０以上の硬い弾性体で発生する押圧時の変形不十分による穿刺用器具４３の突出不足を防止でき、良好な穿刺及び採取を実現できる。さらに、硬度Ｅにて２０以下の柔らかい弾性体で生じがちなブリードも極めて微量に抑止できる。この結果、穿刺、試料採取を良好にし、ブリードによる染みだし物質の影響も排除して、測定成功率を向上させることができる。
【実施例】
【００３９】
次に、上記構成の弾性体を異なる硬度で作成し、ブリード量を調べた結果を説明する。
図５は弾性体の硬度別ブリード量の検出結果を表した模式図である。
サンプルは、スチレン系を３種、ウレタン系を１種作成した。このうち、下表１に示すように、ウレタン系サンプルは硬度がＴｙｐｅＡで２０となり、硬すぎて穿刺が不能であった。したがって、Ｅ硬度１０，Ｅ硬度２０，Ｅ硬度３０で作成したスチレン系の３種について、ブリード量の検出を行った。なお、弾性体サンプルは、各硬度毎に３つのサンプル１，サンプル２，サンプル３を用いた。各サンプルの物性値等を下表１に示す。
【００４０】
ブリードは、同一紙面上にそれぞれの硬度毎に３つの弾性体サンプルを置き、温度２５℃、湿度３５％の雰囲気で１６８時間経過した後での、紙への染みだし物質の染みだし面積でその量を評価した。
【００４１】
【表１】
2008229022.tif 000003
【００４２】
図５，表１から分かるように、硬度Ｅ（ＪＩＳ  Ｋ  ６２５３Ｅ）にて２０〜３０の範囲のサンプルが穿刺成功率が９５％と高く、且つブリードも微量に抑止されることが知見できた。
【図面の簡単な説明】
【００４３】
【図１】本発明に係るバイオセンサカートリッジの分解斜視図である。
【図２】図１に示したバイオセンサカートリッジの軸線と平行な断面を（ａ）、下面を（ｂ）に表した構成説明図である。
【図３】弾性体の変形例を表す断面図である。
【図４】試料採取の手順を表す動作説明図である。
【図５】弾性体の硬度別ブリード量の検出結果を表した模式図である。
【図６】従来のランセット一体型センサの外観視を（ａ）、その分解斜視を（ｂ）に表した構成説明図である。
【符号の説明】
【００４４】
４３  穿刺用器具
４７  バイオセンサチップ
６７  弾性体
７７  コーティング材
１００  バイオセンサカートリッジ
Ｍ  被検体
【図１】
2008229022.tif 000004
【図２】
2008229022.tif 000005
【図３】
2008229022.tif 000006
【図４】
2008229022.tif 000007
【図５】
2008229022.tif 000008
【図６】
2008229022.tif 000009